(57)【要約】【課題】  複数のビデオ再生装置によるビデオ信号の同期を行うビデオ再生同期システムにおいて、所定の再生停止状態を検知した場合には、その位置情報を取得し、当該位置情報に基づいて他のビデオ再生装置との同期化を行う。【解決手段】  再生制御装置１０は、要求によって一のビデオ再生装置からビデオ信号の位置情報を取得する位置情報取得手段１１２と、取得した位置情報を他の再生制御装置に転送する位置情報転送手段１１３と、上記位置情報を含む頭出し実施命令を他のビデオ再生装置に出力する頭出し命令手段１１４と、を備え、ビデオ再生装置２０は、再生制御装置１０からの要求に応じて、ビデオ信号の位置情報を検出する位置情報検出手段２２１と、上記位置情報を再生制御装置１０に出力する位置情報出力手段２１２と、上記頭出し実施命令に含まれる位置情報に基づいてビデオ信号の頭出しを行う頭出し実施手段２２２を備える構成としてある。【選択図】      図１
2007158895.tif 000002
【特許請求の範囲】
【請求項１】
同一のビデオ信号を再生する二以上のビデオ再生装置と、
上記各ビデオ再生装置が再生するビデオ信号の同期制御を行う一以上の再生制御装置と、を備え、
上記再生制御装置は、
要求によって一のビデオ再生装置からビデオ信号の位置情報を取得する位置情報取得手段と、
上記位置情報手段によって取得した位置情報を他の再生制御装置に転送する位置情報転送手段と、
上記位置情報転送手段によって転送された位置情報を含む頭出し実施命令を上記一のビデオ再生装置とは異なる任意のビデオ再生装置に出力する頭出し命令手段と、を備え、
上記ビデオ再生装置は、
上記再生制御装置からの要求に応じて、ビデオ信号の位置情報を検出する位置情報検出手段と、
上記位置情報を要求元の上記再生制御装置に出力する位置情報出力手段と、
上記頭出し実施命令に含まれる位置情報に基づいてビデオ信号の頭出しを行う頭出し実施手段と、を備える
ことを特徴とするビデオ再生同期システム。
【請求項２】
上記ビデオ再生装置は、
ビデオ信号の再生が停止されたときには、所定の識別信号を上記再生制御装置に出力する停止通知手段を備え、
上記再生制御装置は、
上記所定の識別信号の入力により、上記ビデオ再生装置におけるビデオ信号の再生停止を検知する再生停止検知手段を備えるとともに、
上記位置情報取得手段が、上記再生停止検知手段により上記ビデオ再生装置におけるビデオ信号の再生停止が検知された場合に、上記ビデオ再生装置にビデオ信号の位置情報を要求し、当該位置情報を取得することを特徴とする請求項１に記載のビデオ再生同期システム。
【請求項３】
上記再生制御装置は、
上記所定の識別信号が入力された時を計測開始時として再生停止時間を計測する停止時間計測手段を備え、
上記位置情報取得手段は、上記再生停止時間が所定時間を超えた場合に、上記ビデオ再生装置にビデオ信号の位置情報を要求し、当該位置情報を取得することを特徴とする請求項２に記載のビデオ再生同期システム。
【請求項４】
上記頭出し命令手段は、
上記位置情報取得手段によって取得した位置情報を含む頭出し実施命令を上記一のビデオ再生装置とは異なる任意のビデオ再生装置に出力することを特徴とする請求項１，２又は３のいずれかに記載のビデオ再生同期システム。
【請求項５】
上記ビデオ再生装置によるビデオ信号の再生準備，再生開始，再生停止，再生速度変更及び再生方向変更の少なくともいずれかを含む操作を、ダイヤル又はレバーにより操作可能な手動操作卓を備えることを特徴とする請求項１乃至４のいずれかに記載のビデオ再生同期システム。
【請求項６】
二以上のビデオ再生装置によって再生する同一のビデオ信号の同期制御を行うビデオ同期再生方法であって、
一のビデオ再生装置におけるビデオ信号の再生停止を検知するステップと、
上記一のビデオ再生装置におけるビデオ信号の再生停止時間を測定するステップと、
上記再生停止時間が所定時間を超えた場合に、上記一のビデオ再生装置におけるビデオ信号の位置情報を取得するステップと、
取得した上記位置情報に基づいて上記一のビデオ再生装置とは異なる任意のビデオ再生装置におけるビデオ信号の頭出しを行うステップと、を含むことを特徴とするビデオ同期再生方法。
【請求項７】
同一のビデオ信号を再生する二以上のビデオ再生装置と、上記各ビデオ再生装置が再生するビデオ信号の同期制御を行う一以上の再生制御装置とを再生同期システムとして機能させるためのプログラムであって、
上記再生制御装置を構成するコンピュータを、
上記ビデオ再生装置からの所定の識別信号の入力により、当該ビデオ再生装置におけるビデオ信号の再生停止を検知する再生停止検知手段、
上記所定の識別信号が入力された時を計測開始時として再生停止時間を計測する停止時間計測手段、
上記再生停止時間が所定時間を超える場合に、上記ビデオ再生装置にビデオ信号の位置情報を要求し、当該位置情報を取得する位置情報取得手段、
上記位置情報手段によって取得した位置情報を他の再生制御装置に転送する位置情報転送手段、
上記位置情報転送手段によって転送され取得した位置情報を含む頭出し実施命令を上記一のビデオ再生装置とは異なる任意のビデオ再生装置に出力する頭出し命令手段、として機能させるとともに、
上記ビデオ再生装置を構成するコンピュータを、
ビデオ信号の再生が停止されたときには、所定の識別信号を上記再生制御装置に出力する停止通知手段、
上記再生制御装置からの要求に応じて、ビデオ信号の位置情報を検出する位置情報検出手段、
上記位置情報を要求元の上記再生制御装置に出力する位置情報出力手段、
上記頭出し実施命令に含まれる位置情報に従ってビデオ信号の頭出しを行う頭出し実施手段、として機能させるためのビデオ同期再生プログラム。
【発明の詳細な説明】
【技術分野】
【０００１】
本発明は、ビデオ再生同期システムに関し、より詳しくは、複数のビデオ再生装置による映像等の再生を同期させることによって冗長化を図るビデオ再生同期システムに関する。
【背景技術】
【０００２】
従来、報道やライブ番組等、即時性を要求される放送の中で使用される記録映像等の再生制御においては、番組の進行にあわせこの記録映像等のビデオ信号（映像・音声）の再生位置を迅速かつ柔軟に変更する必要がある。
このため、ビデオ信号の再生速度や正逆方向の制御を、ダイヤル又はレバー等によって容易に操作できるジョグシャトルと呼ばれる可変速再生制御技術が提案されている（例えば、特許文献１参照）。
【０００３】
一方、上述の様な即時性を要求される重要な番組の場合、放送に使用される再生装置の故障等の不測の事態に備え、システムの冗長化が必要とされている。
特に、近年の放送局の設備においては、省力化を目的として、これまでのビデオテープレコーダに代えビデオサーバを使用した複雑なコンピュータシステムへの移行が急速に進められるとともに人員も減少しているため、装置の故障などの緊急時における切り換えが自動又は手動で行える冗長化システムが要望されている。
さらに、この冗長化においては、単に再生装置を二重化するだけでなく、装置が切り替わっても同じビデオ信号が切れ間無く出力できるシステムの実現が求められてきた。
【０００４】
このため、複数の音声／映像データ記録／再生手段を備え、これらの切り替え制御が可能な音声／映像データ送出装置が提案されている（例えば、特許文献２参照）。
また、ＨＤ再生装置の再生位置を検出し、ＶＴＲ再生装置のビデオテープをその位置に頭出し、これら再生装置によって同時に同じビデオ信号の再生を行い、ＨＤ再生装置の異常が発生した場合には、ＶＴＲ再生装置で再生されたビデオ信号が再生されるようにするビデオ信号記録再生装置が提案されている（例えば、特許文献３参照）。
【０００５】
【特許文献１】特開平０８−２８７８０４号公報（第１−２頁、第１−４図）
【特許文献２】特開平０９−２９４２４３号公報（第１−５頁、第１−２図）
【特許文献３】特開平１０−０９２１０７号公報（第１−１０頁、第１、２、４図）
【発明の開示】
【発明が解決しようとする課題】
【０００６】
しかしながら、上記特許文献２に提案されている音声／映像データ送出装置においては、２つの再生装置によって同じ映像信号を同時に再生させ、必要に応じて切り替えるようにしているが、再生装置内部の機械動作のばらつきやソフトウェア処理のばらつき等が原因で同時再生の途中に相互の再生位置がずれる場合がある。
【０００７】
また、上記特許文献３においては、一方の再生装置において再生されているビデオ信号の位置の検出を行い、その検出された位置の情報に基づいて他方の再生装置のビデオ信号の頭出しを行った後に同時再生を行う再生支援処理について説明がされているが、いわゆる再生支援モードに切り替わった直後は完全に同期が取れていても、上述と同じ理由によって同時再生の途中で相互の再生位置がずれる場合がある。
特に、特許文献１にあるような回転式ダイヤル（ジョグシャトル）を用いて上述のような同時再生操作を行う場合には、ダイヤルの回転にあわせて様々な速度数値を時々刻々と再生装置に送ることでこのような操作に追従した再生を行うようにしているため、その傾向が著しいものとなる。
【０００８】
本発明は、以上のような従来の技術が有する問題を解決するために提案されたものであり、複数のビデオ再生装置によるビデオ信号の同期を行うビデオ再生同期システムにおいて、所定の再生停止状態を検知した場合には、その位置情報を取得し、当該位置情報に基づいて他のビデオ再生装置との同期化を行うビデオ再生同期システムの提供を目的とする。
【課題を解決するための手段】
【０００９】
上記目的を達成するため、本発明のビデオ再生同期システムは、請求項１に記載するように、同一のビデオ信号を再生する二以上のビデオ再生装置と、上記各ビデオ再生装置が再生するビデオ信号の同期制御を行う一以上の再生制御装置とを備え、上記再生制御装置は、要求によって一のビデオ再生装置からビデオ信号の位置情報を取得する位置情報取得手段と、上記位置情報手段によって取得した位置情報を他の再生制御装置に転送する位置情報転送手段と、上記位置情報転送手段によって転送された位置情報を含む頭出し実施命令を上記一のビデオ再生装置とは異なる任意のビデオ再生装置に出力する頭出し命令手段とを備え、上記ビデオ再生装置は、上記再生制御装置からの要求に応じて、ビデオ信号の位置情報を検出する位置情報検出手段と、上記位置情報を要求元の上記再生制御装置に出力する位置情報出力手段と、上記頭出し実施命令に含まれる位置情報に基づいてビデオ信号の頭出しを行う頭出し実施手段とを備えた構成としてある。
【００１０】
このような構成からなる本発明のビデオ再生同期システムによれば、一のビデオ再生装置におけるビデオ信号の再生位置を検出し、その再生位置にあわせて他のビデオ再生装置におけるビデオ信号の頭出しを行うようにしてある。
これにより、他のビデオ再生装置におけるビデオ信号を、一のビデオ再生装置で再生されたビデオ信号と同期させて頭出しを行うことができる。
これによって、例えば、一のビデオ再生装置に不具合が生じた場合でも、他のビデオ再生装置に切り替えることにより、同一映像を再生することが可能となる。
また、位置情報に基づく制御を行うことによりビデオ信号の同期を行うようにしているため、再生装置の切り替え後も同じ映像等を切れ間無く出力することが可能となる。
【００１１】
また、本発明のビデオ再生同期システムは、請求項２に記載するように、上記ビデオ再生装置は、ビデオ信号の再生が停止されたときには、所定の識別信号を上記再生制御装置に出力する停止通知手段を備え、上記再生制御装置は、上記所定の識別信号の入力により、上記ビデオ再生装置におけるビデオ信号の再生停止を検知する再生停止検知手段を備え、上記位置情報取得手段は、上記再生停止検知手段により上記ビデオ再生装置におけるビデオ信号の再生停止が検知された場合に、上記ビデオ再生装置にビデオ信号の位置情報を要求し、当該位置情報を取得する構成としてある。
【００１２】
このような構成からなる本発明のビデオ再生同期システムによれば、一のビデオ再生装置におけるビデオ信号の停止を確認した場合に、他のビデオ再生装置における同期処理を行うようにしている。
このため、映像の再生が停止したタイミングをもって他のビデオ再生装置における頭出し制御ができるようになる。
これによって、例えば、故障により、あるいは、再生の待機によって停止している一のビデオ再生装置に代えて、他のビデオ再生装置から同一映像を再生出力することが可能となる。
特に、再生停止となる不具合がビデオ再生装置に発生した場合には、自動的に他のビデオ再生装置を再生可能な状態に設定し、即座に切り換えることができるので、利便性の向上をはかることができる。
【００１３】
また、本発明のビデオ再生同期システムは、請求項３に記載するように、上記再生制御装置は、上記所定の識別信号が入力された時を計測開始時として再生停止時間を計測する停止時間計測手段を備え、上記位置情報取得手段は、上記再生停止時間が所定時間を超える場合に、上記ビデオ再生装置にビデオ信号の位置情報を要求し、当該位置情報を取得する構成としてある。
【００１４】
このような構成からなる本発明のビデオ再生同期システムによれば、一のビデオ再生装置におけるビデオ信号が一定時間以上停止したことを確認した場合に他のビデオ再生装置の同期を行うようにしている。
このため、再生準備に係る操作の途中で再生を一時的に停止させたとき等、本来、同期を行う必要がない場合での無駄な処理を防ぐことができる。
これにより、システム全体の動作効率を高めることができ、省電力化を図ることができる。また、過度の同期処理や負荷に伴う疲労故障を効果的に防止できるため、信頼性の高いシステムを実現化することができる。
【００１５】
さらに、本発明のビデオ再生同期システムは、請求項４に記載するように、上記頭出し命令手段は、上記位置情報取得手段によって取得した位置情報を含む頭出し実施命令を上記一のビデオ再生装置とは異なる任意のビデオ再生装置に出力する構成としてある。
【００１６】
このような構成からなる本発明のビデオ再生同期システムによれば、一の再生制御装置が取得した一のビデオ再生装置の位置情報を、他の再生制御装置を介さずに、直接他のビデオ再生装置に出力するようにしてある。
このため、一の再生制御装置によって複数のビデオ再生装置を制御でき、低コストのシステムを実現化することができる。
また、信頼性及びコストのバランスを考慮した上で、再生制御装置の数を設定できるため、ユーザの実施態様に適したシステムを構築し、提供することが可能である。
【００１７】
また、本発明のビデオ再生同期システムは、請求項５に記載するように、上記ビデオ再生装置によるビデオ信号の再生準備，再生開始，再生停止，再生速度変更及び再生方向変更の少なくともいずれかを含む操作を、ダイヤル又はレバーにより操作可能な手動操作卓を備える構成としてある。
【００１８】
このような構成からなる本発明のビデオ再生同期システムによれば、ダイヤル操作又はレバー操作等の、いわゆるジョグシャトル操作によってビデオ再生装置側での再生速度の変更（可変速再生制御）等の各種操作を可能としている。
このため、記録映像の頭出しに即時性及び柔軟性が要求される場合においても的確に対応することができる。
これによって、操作性に優れたビデオ再生同期システムを実現化することが可能となっている。
【００１９】
また、本発明のビデオ同期再生方法は、請求項６に記載するように、二以上のビデオ再生装置によって再生する同一のビデオ信号の同期制御を行う同期再生方法であって、一のビデオ再生装置におけるビデオ信号の再生停止を検知するステップと、上記一のビデオ再生装置におけるビデオ信号の再生停止時間を測定するステップと、上記再生停止時間が所定時間を超えた場合には、上記一のビデオ再生装置におけるビデオ信号の位置情報を取得するステップと、取得した上記位置情報に基づいて上記一のビデオ再生装置とは異なる任意のビデオ再生装置におけるビデオ信号の頭出しを行うステップと、を含む方法としてある。
【００２０】
このように、本発明は上述したシステム発明だけでなく、方法発明としても実現化することができる。
これによって、具体的な構成に限定されることなく、上述の各ステップを備える限り、本発明を実施することができ、汎用性の高い同期再生方法を提供することができる。
【００２１】
また、本発明のビデオ同期再生プログラムは、請求項７に記載するように、同一のビデオ信号を再生する二以上のビデオ再生装置と、上記各ビデオ再生装置が再生するビデオ信号の同期制御を行う一以上の再生制御装置とを再生同期システムとして機能させるためのプログラムであって、上記再生制御装置を構成するコンピュータを、上記ビデオ再生装置からの所定の識別信号の入力により、当該ビデオ再生装置におけるビデオ信号の再生停止を検知する再生停止検知手段、上記所定の識別信号が入力された時を計測開始時として再生停止時間を計測する停止時間計測手段、上記再生停止時間が所定時間を超える場合に限り、上記ビデオ再生装置にビデオ信号の位置情報を要求し、取得する位置情報取得手段、上記位置情報手段によって取得した位置情報を他の再生制御装置に転送する位置情報転送手段、上記位置転送手段によって転送され取得した位置情報を含む頭出し実施命令を上記一のビデオ再生装置とは異なる任意のビデオ再生装置に出力する頭出し命令手段、として機能させるとともに、上記ビデオ再生装置を構成するコンピュータを、ビデオ信号の再生が停止されたときには、所定の識別信号を上記再生制御装置に出力する停止通知手段、上記再生制御装置からの要求に応じて、ビデオ信号の位置情報を検出する位置情報検出手段、上記位置情報を要求元の上記再生制御装置に出力する位置情報出力手段、上記頭出し実施命令に含まれる位置情報に従ってビデオ信号の頭出しを行う頭出し実施手段として機能させるためのプログラムとしてある。
【００２２】
このように本発明はプログラムとしても実現化することができる。
これにより、再生制御装置やビデオ再生装置のみならず、記憶装置やＣＰＵを備えたコンピュータ等にプログラムをインストールすることによって本発明を実現することができ、汎用性，拡張性に優れた同期再生プログラムとして提供することができる。
【発明の効果】
【００２３】
本発明のビデオ再生同期システムによれば、複数のビデオ再生装置間での再生ビデオの頭出しの同期を自動的に取ることができる。
これにより、一のビデオ再生装置から他のビデオ再生装置に出力を切り換えても、同一の映像を切れ間無く継続的に再生出力することができる。
したがって、ビデオ再生装置の障害等、緊急時において迅速に対応しうる信頼性の高いビデオ再生同期システムを実現化することができる。
【発明を実施するための最良の形態】
【００２４】
以下、本発明の好ましい実施形態について図１〜図７を参照して説明する。
ここで、以下に示す本実施形態のビデオ再生同期システムは、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態のビデオ再生同期システムにおける各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００２５】
［第一実施形態］
図１は、本発明の第一実施形態に係るビデオ再生同期システム１ａの全体構成を示すブロック図である。
本実施形態のビデオ再生同期システム１ａは、再生制御装置１０（１０ａ及び１０ｂ）、ビデオ再生装置２０（２０ａ及び２０ｂ）、手動操作卓３０及び切り替え制御卓４０から構成される。
なお、本実施形態においては、再生制御装置１０ａ及びビデオ再生装置２０ａをマスタ（現用）、再生制御装置１０ｂ及びビデオ再生装置２０ｂをスレーブ（予備）として説明を行うが、図１に示すとおり、上記各装置は、マスタ又はスレーブのどちらにも適用できるよう同一の構成となっている。
以下、本実施形態のビデオ再生同期システムを構成する主な装置について、各々詳細な説明を行う。
【００２６】
［再生制御装置１０］
再生制御装置１０は、ビデオ再生装置２０に対し、同期制御に必要な様々な制御を行うものである。
以下、再生制御装置１０の詳細な構成について、図２を参照しつつ説明を行う。
図２は、本発明の第一実施形態に係る再生制御装置の詳細な構成を示したブロック図である。
同図に示すとおり、再生制御装置１０は、処理シーケンサ１１，ポインタ１２及びタイマ１３を有する。
処理シーケンサ１１は、主に再生制御装置１０の内外の各制御を行うものであり、一般的には、ＣＰＵ（中央処理装置）等によって構成されている。
この処理シーケンサ１１は、再生停止検知手段１１１，位置情報取得手段１１２，位置情報転送手段１１３及び頭出し命令手段１１４を有している。
【００２７】
再生停止検知手段１１１は、ビデオ再生装置２０におけるビデオ信号の再生停止を検知するものである。本実施形態では、この再生停止の検知をトリガーとしてタイマ１３によって再生停止時間を測定し、該再生停止時間が所定時間を超える場合にかぎり、同期制御を行うこととしている。
一方、停止時間を測定せずに、停止を検知すると同時に同期制御を行うといった別の形態も実現可能である。
位置情報取得手段１１２は、ビデオ再生装置２０からビデオ信号の位置情報を取得するものである。ここで、ビデオ信号の位置情報とは、具体的には、フレーム番号，トラック番号，クラスタ，セクタ、あるいはインデックス等、ビデオ信号の位置を識別・特定できるデータであればよい。なお、ここで取得した位置情報は、ポインタ１２に出力され、後の同期処理に利用される。
【００２８】
位置情報転送手段１１３は、位置情報取得手段１１１によって取得され、位置情報格納手段１２１によって格納された位置情報を他の再生制御装置１０に転送するものである。
例えば、マスタ側の再生制御装置１０ａによってスレーブ側の再生制御装置１０ｂに転送された位置情報は、再生制御装置１０ｂからビデオ再生装置２０ｂに対し出力される頭出し実施命令に利用される。
【００２９】
頭出し命令手段１１４は、取得した一のビデオ再生装置２０におけるビデオ信号の位置情報をもとに他のビデオ再生装置２０のビデオ信号の頭出し制御を行うものである。
例えば、ビデオ再生装置２０ａの位置情報が、位置情報転送手段１１３によって再生制御装置１０ｂに転送されると、これを受けた再生制御装置１０ｂでは、この頭出し命令手段１１４によって上記位置情報を含んだ頭出し実施命令がビデオ再生装置２０ｂに対して出力されることとなる。
【００３０】
ポインタ１２は、位置情報取得手段１１３によって取得された位置情報を格納する位置情報格納手段１２１を有しており、一般的には、ＲＡＭ（Random Access Memory）等によって構成されるものである。
位置情報格納手段１２１によって格納された位置情報は上述の通り、位置情報転送手段１１３によってスレーブ側の再生制御装置１０ｂに転送され、スレーブ側のビデオ再生装置２０ｂの同期制御に用いられる。
【００３１】
タイマ１３は、ビデオ再生装置２０におけるビデオ信号の再生停止時間を検出する停止時間計測手段１３１を有している。
具体的には、ビデオ再生装置２０から再生停止を伝える所定の信号を受けた時点を計測開始点とし、再生停止時間を計測する。
なお、本実施形態においては、再生停止時間が所定時間を超えた場合に限り、同期制御を行うこととしている。
この所定時間は、例えば、０．５秒から２秒程度が一般的とされるが、それぞれの運用形態にあわせ、任意の値を設定することが可能である。
【００３２】
［ビデオ再生装置２０］
ビデオ再生装置２０は、例えば、ビデオテープレコーダ（プレーヤ）やビデオディスクレコーダー（プレーヤ），ビデオサーバ等によって構成されるものであるが、映像、音声からなるビデオ信号を再生可能な装置であればよい。
以下、ビデオ再生装置２０の詳細な構成について、図３を参照しつつ説明する。
図３は、本発明の第一実施形態に係るビデオ再生装置の詳細な構成を示すブロック図である。
同図に示すとおり、ビデオ再生装置２０は、再生制御回路２１，ポインタ２２，記録メディア２３及び再生回路２４を有する。
【００３３】
再生制御回路２１は、主に再生制御装置１０の内外の各制御をつかさどるものであり、さらに、停止通知手段２１１及び位置情報出力手段２１２を有する。
停止通知手段２１１は、再生回路２４により再生されているビデオ信号が停止した場合にその旨の通知を再生制御装置１０に通知するものである。
例えば、手動操作卓３０の操作等により再生停止コマンドが出力され、再生が停止した場合には、再生停止が完了したことを示す所定の制御応答信号が返信されるので、この制御応答信号を識別信号として再生制御装置１０に出力することによって、再生停止を通知することができる。
また、ビデオ再生装置２０が故障により停止した場合に所定の識別信号を出力することによって再生停止を通知するようにしてもよい。
【００３４】
位置情報出力手段２１２は、ポインタ２２（位置情報検出手段２２１）によって検出された位置情報を再生制御装置１０に出力するものである。
例えば、ポインタ２２（位置情報検出手段２２１）によって検出されたマスタ側のビデオ再生装置２０ａの記録メディア２３の位置情報は、この位置情報出力手段２１２によって、再生制御装置１０ａに出力されることとなる。
【００３５】
ポインタ２２は、位置情報検出手段２２１及び頭出し実施手段２２２を有する。
位置情報検出手段２２１は、再生制御装置１０からの要求に応じて記録メディア２３からビデオ信号の位置情報を検出するものである。
頭出し実施手段２２２は、再生制御装置１０からの頭出し実施命令及び該命令に含まれる位置情報に応じてビデオ再生装置２０の頭出しを実施するものである。
例えば、ビデオ再生装置２０ｂが再生制御装置１０ｂから頭出し実施命令を受けた場合、この頭出し実施手段２２２によって記録メディア２３の頭出しが行われる。上記頭出し実施命令にはマスタ側のビデオ信号の位置情報が含まれており、この位置と同じ位置に頭出しを行うことにより、マスタ側の映像信号の位置と、スレーブ側の映像信号の位置とが一致し、同期が完了する。
【００３６】
記録メディア２３は、例えば、ビデオテープ，ハードディスク，ＣＤ，ＤＶＤ等、再生する映像や音声からなるビデオ信号を格納するものであればよい。
また、再生回路２４は、記録メディア２３に格納されてあるビデオ信号を加工し再生出力するものである。
また、再生回路２４により再生停止が検知されると、これをトリガーとして一連の同期制御が開始されることとなる。
【００３７】
［手動操作卓３０］
手動操作卓３０は、ビデオ再生装置２０で再生する映像の再生準備や再生開始，再生速度変更，再生方向変更等の各種操作を行うものであり、特に、本実施形態においては、ダイヤル又はレバーによって再生速度変更の操作を容易に行えるようになっている。
この手動操作卓３０からの各操作に応じ、スピードや方向を定義する所定のコマンドが再生制御装置１０に送られ、これらのコマンドがそのままビデオ再生装置に伝達されることによって、操作に基づいた再生動作が行われることとなる。
【００３８】
［切換え制御卓４０］
切換え制御卓４０は、ビデオ再生装置２０やこれを制御する再生制御装置１０の現用・予備（又は待機）の切換操作を行うものであり、スイッチやボタン等の簡易操作によって瞬時に系切り換えを実行することができる。
具体的には、現用のマスタ側の装置に障害が発生したときに、スレーブ側の装置を現用に切り換えることによって、切り換え前と同一の映像を継続して再生せしめるものである。
【００３９】
次に、以上のような構成からなる第一実施形態のビデオ再生同期システムにおける動作について図４及び図５を参照しつつ説明する。
図４は、本発明の第一実施形態に係るビデオ再生同期システム１ａにおける各動作の流れを表した制御シーケンス図である。
【００４０】
図４に示すように、マスタ側の再生制御装置１０ａがマスタ側のビデオ再生装置２０ａを制御し、スレーブ側の再生制御装置１０ｂがスレーブ側のビデオ再生装置２０ｂを制御する場合、上位制御すなわち手動操作卓３０からの各操作コマンドは、マスタ側の再生制御装置１０ａとスレーブ側の再生制御装置１０ｂの双方に通知される（Ａ１とＡ１’、Ｂ１とＢ１’、Ｃ１とＣ１’、Ｄ１とＤ１’）。
【００４１】
例えば、再生スタンバイを行う場合（Ａ）、手動操作卓３０から再生スタンバイコマンドが出力されるが、これは再生制御装置１０ａに入力される（Ａ１）とともに、再生制御装置１０ｂにも入力される（Ａ１’）こととなる。そして、それぞれの再生制御装置（１０ａ、１０ｂ）は、ビデオ再生装置（２０ａ、２０ｂ）に対し再生スタンバイコマンド（Ａ２、Ａ２’）を出力し、これをビデオ再生装置（２０ａ、２０ｂ）が応答（Ａ３、Ａ３’）し再生スタンバイモードとなる。
【００４２】
論理上、上述のシーケンスは、再生スタートを行う場合（Ｂ）、可変速再生制御を行う場合（Ｃ）、再生停止を行う場合（Ｄ）のいずれの場合も、同様であり、同じ命令に基づく制御が、同時に処理されるものである。
しかしながら、実際には、手動操作卓３０からのマスタとスレーブに対する制御は独立しており、装置内のハード・ソフトの処理のばらつきによって、マスタ、スレーブ相互の映像・音声の再生位置は次第にずれていくこととなる。
【００４３】
ここで、本実施形態のビデオ再生同期システム１ａでは、操作が一定時間無い場合、すなわち、再生が一定時間停止されたことをマスタ側の再生制御装置１０ａが検知すると（Ｅ）、マスタ側のビデオ再生装置２０ａの再生位置を取得し、これをスレーブ側の装置に伝送し、同期させるようにしている。
具体的には、１秒以上の再生停止が確認された場合には、まず、マスタ側の再生制御装置１０ａから再生位置要求コマンドをマスタ側のビデオ再生装置２０ａに送る（Ｅ１）。
次に、ビデオ再生装置２０ａが位置情報検出手段２２１によって停止中のビデオ信号の位置情報を検出し、位置情報出力手段２１２によって再生制御装置１０ａに送られる（Ｅ２）。
【００４４】
この位置情報を受けたマスタ側の再生制御装置１０ａは、取得した位置情報をスレーブ側の再生制御装置１０ｂに伝送する（Ｅ３）。
そして、再生制御装置１０ｂはこの位置情報に従い、スレーブ側のビデオ再生装置２０ｂに対して指定の再生位置の映像等を出力するようキューアップ制御（Ｅ４）を行い、マスタ側との同期が完了する（Ｅ５）。
このようなシーケンス制御を行うことにより、マスタとスレーブの再生位置がずれてしまった場合も操作者が特別な操作をしなくても、再生の準備が整ったとき等を見計らって、自動的に再生位置が同期されることとなる。
【００４５】
次に、時系列からみた本実施形態の動作について、図５を参照しつつ説明する。
図５は、本発明の第一実施形態に係るビデオ再生同期システム１ａにおける各動作を時間軸に基づき表したタイミング図である。
同図に示すように、再生を行うビデオ素材を再生する準備（Ａ）のために、再生スタンバイコマンド（Ａ１及びＡ１’）がビデオ再生装置（２０ａ及び２０ｂ）に送られ、準備完了となるとマスタ、スレーブとも停止中の状態になる（ＡＡ、Ａ’Ａ’）。
【００４６】
ここで、ライブ番組等において映像再生を行う場合には、操作者が目的の再生開始点をサーチするために、予備の１倍速再生（Ｂ）やジョグシャトル操作を利用した可変速再生制御（Ｃ）を行い、サーチ後は本番再生に備えて一旦停止する（Ｄ）のが通常的に行われる操作である。
本実施形態においては、上記一旦停止のタイミングをタイマ１３で検知（Ｄ、Ｅ）することによってマスタ側の再生準備が整ったことを認識し、マスタ側ビデオ再生装置２０ａで頭出しを行った位置までスレーブ側も追従させるべくキューアップ制御（頭出し）を自動的に行う（Ｅ４）。なお、本実施形態においては、上記タイミングとして、停止時間が１秒以上続いている場合にキューアップ制御を行うようにしているが、運用形態にあわせ任意の時間に設定することも可能である。
【００４７】
このため、たとえ可変速再生制御でマスタとスレーブの再生位置が相互にずれた場合（Ｆ）でも、スレーブ側のビデオ再生装置２０ｂの再生位置は、自動的にマスタ側のビデオ再生装置２０ａの再生位置と同じ位置にキューアップされるため、再生開始前には常に再生位置が一致したビデオ再生同期システムが実現される。
【００４８】
以上説明したように、本実施形態のビデオ再生同期システム１ａによれば、マスタ側の再生制御装置１０ａは、マスタ側のビデオ再生装置２０ａの走行状態を監視し、再生停止の時間をタイマ１３で監視するようにしている。
そして、この停止状態が一定時間続いた場合には、マスタ側のビデオ再生装置２０ａの再生位置をポインタ２２で読み取り、その値をもとにスレーブ側の再生制御装置１０ｂがスレーブ側のビデオ再生装置２０ｂの再生位置をマスタ側と同じ位置に揃えるようにしている。
これらの処理は、操作者の操作の合間に自動的に行われるので、スレーブ側の再生位置は常にマスタ側に同期することになる。
【００４９】
このため、切換え制御卓４０によってマスタ／スレーブを切り換えられるようにしておけば、マスタ側の装置に障害が発生した緊急時においても、出力をスレーブ側に切り換えた後でも切り換え前と同一の映像を切れ間無く継続して再生出力することが可能となる。
したがって、信頼性の高いビデオ再生システムを実現化することができる。
【００５０】
［第二実施形態］
次に、本発明の第二実施形態に係るビデオ再生同期システム１ｂについて図６及び図７を参照しつつ説明する。
図６は、本発明の第二実施形態に係るビデオ再生同期システムの全体構成を示すブロック図である。
また、図７は、本実施形態に係る再生制御装置の詳細な構成を示すブロック図である。
【００５１】
図６に示すように、本実施形態に係るビデオ再生同期システム１ｂは、図１に示した第一実施形態に係るビデオ再生同期システム１ａの改良実施形態であり、第一実施形態において複数備えられていた再生制御装置１０（１０ａ，１０ｂ）を、単一の再生制御装置１０によって構成したものである。
このように再生制御装置１０を一台の装置とすることで、二重化される装置はビデオ再生装置のみになるが、ビデオ再生装置の構成は再生制御装置よりも遙かに複雑で故障が生じやすいため、冗長性としてはビデオ再生装置のみの二重化でも十分な効果が発揮されるだけでなく、低コストが実現できるところに特徴を有する。
【００５２】
図７に示すように、本実施形態では、タイマ１３（停止時間計測手段１３１）が一定時間の再生停止を検知した場合、処理シーケンサ１１は、マスタ側のビデオ再生装置２０ａの位置情報を取得し（位置情報取得手段１１２）、その位置情報をもとにスレーブ側のビデオ再生装置２０ｂへキューアップコマンドを送り（頭出し命令手段１１４）、再生位置を一致させる。
このように、本実施形態における再生制御装置１０では、取得した位置情報を他の再生制御装置を介さずに、自らスレーブ側のビデオ再生装置２０ｂを制御することができる。
従って、本実施形態のビデオ再生同期システム１ｂによれば、第一実施形態と同様の効果が発揮されるだけでなく、再生制御装置１０を一台で構成しているので、システム全体として低コスト化を図ることができる。
【００５３】
以上、本発明のビデオ再生同期システムについて、好ましい実施形態を示して説明したが、本発明にかかるビデオ再生同期システムは、上述した実施形態にのみ限定されるものではなく、本発明の範囲で種々の変更実施が可能であることは言うまでもない。
例えば、本発明のビデオ再生同期システムは、報道、ライブ番組等に限らず、デジタルシネマ等に使用しても良い。
【産業上の利用可能性】
【００５４】
本発明は、複数のビデオ再生装置を備えた放送映像システムに好適に利用することができる。
【図面の簡単な説明】
【００５５】
【図１】本発明の第一実施形態に係るビデオ再生同期システムの全体構成を示すブロック図である。
【図２】本発明の第一実施形態に係る再生制御装置の詳細な構成を示すブロック図である。
【図３】本発明の第一実施形態に係るビデオ再生装置の詳細な構成を示すブロック図である。
【図４】本発明の第一実施形態に係るビデオ再生同期システムにおける各動作の流れを表したフローチャートである。
【図５】本発明の第一実施形態に係るビデオ再生同期システムにおける各動作を時間軸に基づき表したタイミング図である。
【図６】本発明の第二実施形態に係るビデオ再生同期システムの全体構成を示すブロック図である。
【図７】本発明の第二実施形態に係る再生制御装置の詳細な構成を示すブロック図である。
【符号の説明】
【００５６】
１  ビデオ再生同期システム
１０  再生制御装置
１１  処理シーケンサ
１２、２２  ポインタ
１３  タイマ
２０  ビデオ再生装置
２１  再生制御回路
２３  記録メディア
２４  再生回路
３０  手動操作卓
４０  切換え制御卓
【図１】
2007158895.tif 000003
【図２】
2007158895.tif 000004
【図３】
2007158895.tif 000005
【図４】
2007158895.tif 000006
【図５】
2007158895.tif 000007
【図６】
2007158895.tif 000008
【図７】
2007158895.tif 000009